(57)【要約】【課題】回路板試験機の薄型挟持構造を提供する。【解決手段】本考案の回路板試験機の薄型挟持構造は、作業台、基台、活動アーム、伝動組から構成される。この挟持構造を回路板試験機中に運用し、挟持機構を薄く、体積を更に小さくすることができる。この挟持構造を使用時、この伝動組が該活動アームの挟持部を緩めて開き、回路板を２つの活動アームの中心領域に置き、伝動組が軸動により該挟持部を緊合し、回路板が２つの活動アームの中心領域に固定され、且つ均一且つ充足した受力を得られるようにする。【選択図】図１
0003146376.tif 000002
【実用新案登録請求の範囲】
【請求項１】
回路板の試験に適用する回路板試験機の薄型挟持構造であって、該挟持構造が少なくとも、
作業台と、
作業台に対応して平行に設けられる２つの基台と、
適当な距離の箇所で各アーム体が開放または緊合を呈することができる挟持部を設ける２つの活動アームと、
それぞれシリンダと、連軸器と、軸桿と、を有し、該活動アームの上部に固定され、該挟持部を軸動することができる２つの伝動組と、
を含み、上記の組み合わせにより、薄型挟持構造を呈することができる回路板試験機の薄型挟持構造。
【請求項２】
前記活動アームが調整部材を設け、該調整部材が滑動軌道組と、２つの連動部材と、螺桿とを含み、該活動アームの変位を調整し、そのうち、該滑動軌道組は、２つの滑動軌道および軌道から構成され、該滑動軌道は、該活動アームの適当な位置に固定され、該連動部材は、該螺桿の二端に軸設され、それぞれ該活動アームの滑動軌道組下方に固定され、該活動軌道組および該滑動部材は、同時に活動アームの変位を動作することができる請求項１記載の回路板試験機の薄型挟持構造。
【請求項３】
前記連動部材は、調整レバーと固定部材を設け、該調整レバーは、該螺桿の一側に設けられ、該連動部材の変位を調整し、該固定部材は、該連動部材と該調整レバーの間に軸設され、該活動アームの距離を固定する請求項１記載の回路板試験機の薄型挟持構造。
【請求項４】
前記活動アームのアーム体は、溝を設け、該軸桿を置かせることができる請求項１記載の回路板試験機の薄型挟持構造。
【請求項５】
該活動アームの挟持部は、該アーム体の適当な位置に嵌合設置され、該軸桿は、該挟持部の一側に軸穿合される請求項１記載の回路板試験機の薄型挟持構造。
【請求項６】
前記挟持部の軸穿合箇所は、二端にそれぞれ軸受けを設け、該螺桿を穿合させる請求項１記載の回路板試験機の薄型挟持構造。
【請求項７】
前記アーム体が平行に対応する底側には、回路板両辺を挿入設置させることができる辺縁を設ける請求項１記載の回路板試験機の薄型挟持構造。
【請求項８】
前記シリンダは、吸気弁と排気弁を接続し、該挟持部の開放または緊合を軸動する請求項１記載の回路板試験機の薄型挟持構造。
【考案の詳細な説明】
【技術分野】
【０００１】
本考案は、回路板試験機に関し、特に、回路板に用いる薄型挟持構造に関する。
【背景技術】
【０００２】
電子産業の日進月歩によって、電子製品の回路設計も日増しに複雑になり、回路板が製造後に原設計の同一機能を有しているか否かを試験する為、信頼できる精度を有する試験治具により検査の目的を達成する。
【０００３】
回路板は、複雑な回路が充満する電子製品である。回路板試験機の挟持構造が直面する３つの大きな問題は、以下の通りである。第１は、簡潔な構成要素の前提の下、如何に体積が大きい問題を改善するかである。第２は、如何に回路板を挟持する力を充足させるかである。第３は、如何に迅速に１つの挟持構造を組み立てるかである。従来の回路板試験機は、中華民国公告第540703号の回路板試験機のように、同時に上記改善すべき問題を有し、また、回路板規格が一定ではなく、如何に回路板の寸法に合わせた適切な距離を迅速に調整するかも本願が改善しようとするもう１つの問題である。
【０００４】
上記の従来技術背景を鑑みて、従来の回路板試験機が使用する構造は、回路板に試験作業をさせることができるが、各自がその欠点と不便性を有し、体積が過大であり、構造が複雑であり、効率が良好ではない等の問題を有する。
【特許文献１】特開２０００−１４１１７５号公報
【考案の開示】
【考案が解決しようとする課題】
【０００５】
本考案の目的は、挟持構造の面積をより薄くする回路板試験機の薄型挟持構造を提供することである。
【０００６】
本考案のもう１つの目的は、各種異なる規格の回路板を迅速に調整し、且つ挟持構造の交換が要する時間を減少する回路板試験機の薄型挟持構造を提供することである。
【０００７】
本考案のもう１つの目的は、回路板挟持後の安定性を強化し、回路板が治具を介して試験をする時の精度を高める回路板試験機の薄型挟持構造を提供することである。
【０００８】
本考案のもう１つの目的は、回路板を挟持する時、その挟持力をより均一に充足させる回路板試験機の薄型挟持構造を提供することである。
【課題を解決するための手段】
【０００９】
本考案の回路板試験機の薄型挟持構造は、回路板の試験に適用し、少なくとも、作業台と、作業台に対応して平行に設けられる２つの基台と、適当な距離の箇所で各アーム体が開放または緊合を呈することができる挟持部を設ける２つの活動アームと、それぞれシリンダと、連軸器と、軸桿と、を有し、該活動アームの上部に固定され、該挟持部を軸動することができる２つの伝動組と、を含み、上記の組み合わせにより、薄型挟持構造を呈することができる。
本考案は、以下の特徴を有する。
（１）回路板の試験に適用する回路板試験機の薄型挟持構造であって、該挟持構造が少なくとも、
作業台と、
作業台に対応して平行に設けられる２つの基台と、
適当な距離の箇所で各アーム体が開放または緊合を呈することができる挟持部を設ける２つの活動アームと、
それぞれシリンダと、連軸器と、軸桿と、を有し、該活動アームの上部に固定され、該挟持部を軸動することができる２つの伝動組と、
を含み、上記の組み合わせにより、薄型挟持構造を呈することができる回路板試験機の薄型挟持構造。
（２）前記活動アームが調整部材を設け、該調整部材が滑動軌道組と、２つの連動部材と、螺桿とを含み、該活動アームの変位を調整し、そのうち、該滑動軌道組は、２つの滑動軌道および軌道から構成され、該滑動軌道は、該活動アームの適当な位置に固定され、該連動部材は、該螺桿の二端に軸設され、それぞれ該活動アームの滑動軌道組下方に固定され、該活動軌道組および該滑動部材は、同時に活動アームの変位を動作することができる（１）記載の回路板試験機の薄型挟持構造。
（３）前記連動部材は、調整レバーと固定部材を設け、該調整レバーは、該螺桿の一側に設けられ、該連動部材の変位を調整し、該固定部材は、該連動部材と該調整レバーの間に軸設され、該活動アームの距離を固定する（１）記載の回路板試験機の薄型挟持構造。
（４）前記活動アームのアーム体は、溝を設け、該軸桿を置かせることができる（１）記載の回路板試験機の薄型挟持構造。
（５）該活動アームの挟持部は、該アーム体の適当な位置に嵌合設置され、該軸桿は、該挟持部の一側に軸穿合される（１）記載の回路板試験機の薄型挟持構造。
（６）前記挟持部の軸穿合箇所は、二端にそれぞれ軸受けを設け、該螺桿を穿合させる（１）記載の回路板試験機の薄型挟持構造。
（７）前記アーム体が平行に対応する底側には、回路板両辺を挿入設置させることができる辺縁を設ける（１）記載の回路板試験機の薄型挟持構造。
（８）前記シリンダは、吸気弁と排気弁を接続し、該挟持部の開放または緊合を軸動する（１）記載の回路板試験機の薄型挟持構造。
【考案の効果】
【００１０】
本考案の上記目的に基づき、本考案は回路板試験機の薄型挟持構造を提供し、この薄型挟持構造は、作業台、基台、活動アーム、伝動組から構成される。この挟持構造を回路板試験機中に運用し、挟持機構を薄く、体積を更に小さくすることができる。この挟持構造を使用時、この伝動組が該活動アームの挟持部を緩めて開き、回路板を２つの活動アームの中心領域に置き、伝動組が軸動により該挟持部を緊合し、回路板が２つの活動アームの中心領域に固定され、且つ均一且つ充足した受力を得られるようにする。
【考案を実施するための最良の形態】
【００１１】
本考案は、回路板試験機の薄型挟持構造に関する。以下に先ずこの回路試験機の薄型挟持構造を説明し、更にその使用方法を説明する。
【００１２】
図１〜図３において、本考案の薄型挟持構造の好適な実施例は、少なくとも１つの作業台１と、２つの基台２と、２つの活動アーム３と、２つの伝動組５を含む。各該基台２は、作業台１上に平行に設けられ、２つの活動アーム３の適当な距離に各アーム体３１が開放または緊合を呈することができる挟持部３２を設ける。２つの伝動組５は、それぞれシリンダ５１、連軸器５２および軸桿５３を有し、該伝動組５は、該活動アーム３の上部に固定され、該挟持部３２を軸動することができ、上記組み合わせによって、薄型挟持構造を呈することができる。
【００１３】
該活動アーム３は、調整部材６を設け、該調整部材６は、滑動軌道組６１と、２つの連動部材６２と、螺桿６３と、を含み、該活動アーム３の変位を調整し、そのうち、該滑動軌道組は、２つの滑動軌道６１１と、軌道６１２から構成され、該滑動軌道６１１は、該活動アーム３の適当な位置に固定され、該連動部材６２は、該螺桿６３の二端に軸設され、それぞれ該活動アーム３の滑動軌道組６１下方に固定され、該滑動軌道組６１と該連動部材６２は、同時に活動アーム３の変位を動作することができ、該連動部材６２は、調整レバー６と固定部材６５を設け、該調整レバー６４は、該螺桿６３の一側に設けられ、該連動部材６２の変位を調整し、該固定部材６５は、該連動部材６２と該調整レバー６４の間に軸設され、該活動アーム３が移動しないように固定し、そのうち、該調整レバーは、距離目盛を設け、該固定部材６５は、自在旋転方式で該活動アーム３をしっかりと固定する。
【００１４】
該活動アーム３のアーム体は、溝３１１を設け、該軸桿５３を設置させ、該活動アーム３の挟持部３２は、該アーム体３１の適当な位置に嵌合され、該軸桿５３は、該挟持部３２の一側に軸穿合する。該挟持部３２の軸穿合箇所は、両端にそれぞれ軸受け３２１を設け、該軸桿５３を貫通設置させる。該アーム体３１の平行に対応する底側は、回路板の両辺を挿入設置させることができる辺縁３３を設ける。該シリンダ５１は、吸気弁５１１と排気弁５１２を接続し、該挟持部３２の開放または堅合を軸動する。
【００１５】
従って、本考案が提供する回路板試験機の薄型挟持構造は、作業台、基台、活動アーム、伝動組から構成される。この挟持構造を回路板試験機中に運用し、挟持機構を薄く、体積をより小さくすることができる。この挟持構造を使用時、この伝動組が該活動アームの挟持部を軸動し、回路板を２つの活動アームの中心領域に置き、伝動組が該挟持部の緊合を軸動し、回路板が２つの活動アームの中心領域に固定され、且つ均一で充足した受力を得られるようにする。
【００１６】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００１７】
【図１】本考案の好適な実施例の回路板試験機の薄型挟持構造の立体図である。
【図２】本考案の好適な実施例の回路板試験機の薄型挟持構造の挟持部開放の説明図である。
【図３】本考案の好適な実施例の回路板試験機の薄型挟持構造の挟持部緊合の説明図である。
【符号の説明】
【００１８】
１  作業台
２  基台
３  活動アーム
３１  アーム体
３２  挟持部
３１１  溝
３２１  軸受け
３３  辺縁
５  伝動組
５１  シリンダ
５１１  吸気弁
５１２  排気弁
５２  連軸器
５３  軸桿
６  調整部材
６１  滑動軌道組
６１１  滑動軌道
６１２  軌道
６２  連動部材
６３  螺桿
６４  調整レバー
６５  固定部材
【図１】
0003146376.tif 000003
【図２】
0003146376.tif 000004
【図３】
0003146376.tif 000005